(57)【要約】【課題】原子炉の炉心に装荷された状態で燃料集合体内の燃料棒出力ピーキングを低くして十分な熱的余裕を有する燃料集合体および取出燃焼度を増大させて燃料経済性を大幅に向上させた原子炉の炉心を提供する。【解決手段】複数の燃料棒を格子状に束ねて構成され横断面が正方形状をなす燃料集合体において、前記燃料集合体は４体で１本の制御棒を囲むように原子炉の炉心に配置され、前記燃料集合体の上下端を除く少なくとも一部の軸方向部位において、前記燃料棒に含有される核分裂性物質濃度または可燃性毒物含有量の少なくとも一方の横断面内分布が、前記燃料集合体横断面内の二本の対角線のうち少なくとも前記制御棒を通る対角線に関して非対称であることを特徴とする。【選択図】図２
2006208391.tif 000002
【特許請求の範囲】
【請求項１】
複数の燃料棒を格子状に束ねて構成され横断面が正方形状をなす燃料集合体において、前
記燃料集合体は４体で１本の制御棒を囲むように原子炉の炉心に配置され、前記燃料集合
体の上下端を除く少なくとも一部の軸方向部位において、前記燃料棒に含有される核分裂
性物質濃度または可燃性毒物含有量の少なくとも一方の横断面内分布が、前記燃料集合体
横断面内の二本の対角線のうち少なくとも前記制御棒を通る対角線に関して非対称である
ことを特徴とする燃料集合体。
【請求項２】
前記燃料集合体を構成する最外周燃料棒の核分裂性物質濃度が非対称であることを特徴と
する請求項１に記載の燃料集合体。
【請求項３】
前記燃料集合体を構成する最外周または最外周から２層目の燃料棒の可燃性毒物含有量が
非対称であることを特徴とする請求項１または請求項２に記載の燃料集合体。
【請求項４】
燃料集合体平均核分裂性物質濃度が異なる複数種類の燃料集合体が装荷された原子炉の炉
心において、少なくとも一部の燃料集合体が請求項１ないし請求項3に記載の燃料集合体
であることを特徴とする原子炉の炉心。
【請求項５】
コントロールセルに隣接する位置および炉心最外周位置および炉心最外周から２層目位置
のいずれをも除く位置に装荷された燃料集合体平均核分裂性物質濃度が最も高い燃料集合
体の少なくとも一部が、請求項１ないし請求項３に記載の燃料集合体であることを特徴と
する請求項４に記載の原子炉の炉心。
【請求項６】
コントロールセルに隣接する位置および炉心最外周位置および炉心最外周から２層目位置
のいずれをも除く位置に装荷された燃料集合体平均核分裂性物質濃度が最も高い燃料集合
体の全てが、その横断面内の高々１つの面で燃料集合体平均核分裂性物質濃度が最も低い
燃料集合体と隣接することを特徴とする請求項５に記載の原子炉の炉心。
【請求項７】
前記原子炉の炉心に装荷されている請求項１ないし請求項３に記載の燃料集合体において
、燃料集合体平均核分裂性物質濃度がより低い燃料集合体に面する側の最外周燃料棒の平
均核分裂性物質濃度が、燃料集合体平均核分裂性物質濃度がより高い燃料集合体に面する
側の最外周燃料棒の平均核分裂性物質濃度よりも低いことを特徴とする請求項４ないし請
求項６に記載の原子炉の炉心。
【請求項８】
前記原子炉の炉心に装荷されている請求項１ないし請求項３に記載の燃料集合体において
、燃料集合体平均核分裂性物質濃度がより低い燃料集合体に面する側の最外周または最外
周から２層目の燃料棒の平均可燃性毒物含有量が、燃料集合体平均核分裂性物質濃度がよ
り高い燃料集合体に面する側の最外周または最外周から２層目の燃料棒の平均可燃性毒物
含有量よりも低いことを特徴とする請求項７に記載の原子炉の炉心。
【請求項９】
前記原子炉の炉心に装荷されている請求項１ないし請求項３に記載の燃料集合体において
、燃料集合体平均核分裂性物質濃度がより低い燃料集合体に面する側の最外周または最外
周から２層目の燃料棒の平均可燃性毒物含有量が、燃料集合体平均核分裂性物質濃度がよ
り高い燃料集合体に面する側の最外周または最外周から２層目の燃料棒の平均可燃性毒物
含有量よりも高いことを特徴とする請求項４ないし請求項７に記載の原子炉の炉心。
【請求項１０】
前記原子炉の炉心において、燃料集合体平均核分裂性物質濃度が等しい複数種類の請求項
１ないし請求項３に記載の燃料集合体が装荷され、前記複数種類の燃料集合体平均核分裂
性物質濃度が等しい燃料集合体の少なくとも一部が、互いに燃料集合体横断面内における
前記燃料棒の核分裂性物質濃度および可燃性毒物含有量の横断面内分布が、前記二本の対
角線の少なくとも一方に関して鏡面対称かまたは前記二本の対角線の交点を中心として回
転対称の関係にあることを特徴とする請求項４ないし請求項９に記載の原子炉の炉心。
【請求項１１】
複数本の燃料棒を格子状に束ねて構成され燃料集合体が装荷された原子炉の炉心において
、核分裂性物質として濃縮ウランのみを使用した燃料集合体と核分裂性物質としてプルト
ニウムとウランとを使用した燃料集合体とが装荷され、前記核分裂性物質としてプルトニ
ウムとウランとを使用した燃料集合体の少なくとも一部が請求項１ないし請求項３に記載
の燃料集合体であることを特徴とする請求項４ないし請求項１０に記載の原子炉の炉心。
【発明の詳細な説明】
【技術分野】
【０００１】
本発明は原子炉に用いられる燃料集合体および原子炉の炉心に関し、特に、十分な熱的余
裕を確保した上で取出燃焼度を増大して燃料経済性を向上させることのできる燃料集合体
および原子炉の炉心に係わる。
【背景技術】
【０００２】
原子炉が建設されて初めて炉心に装荷される初装荷燃料には、近年取出燃焼度の向上のた
めに、核分裂性物質濃度の異なる複数種類の燃料集合体が使用され、さらに初装荷燃料の
平均核分裂性物質濃度を高める設計がされている。このような炉心を高燃焼度初装荷炉心
と呼んでいる。なお、以下では核分裂性物質濃度、すなわち核燃料物質として一般に用い
られる濃縮ウランに対して核分裂性物質であるウラン２３５の濃度を簡単に濃縮度と呼ぶ
こととする。ただし、濃縮ウランの代りにプルトニウムとウランの混合物が核燃料物質と
して用いられることもあり、その場合にはプルトニウム２３９および２４１とウラン２３
５の濃度の合計が核分裂性物質濃度である。また前者をウラン燃料、後者をプルトニウム
燃料と略称する。
【０００３】
このような高燃焼度初装荷炉心の例として、特開平４−２２８９４号公報に、低濃縮度燃
料集合体と高濃縮度燃料集合体の２種類で炉心を構成した例が開示されている。同公報に
は、初装荷燃料の濃縮度の標準偏差が大きいほど取出燃焼度が増大することから、高濃縮
度燃料集合体の濃縮度はできるだけ高く、一方低濃縮度燃料集合体は、濃縮度をできるだ
け低く装荷体数を少なくするのがよい旨が開示されている。
【０００４】
この発明を適用した１例の原子炉炉心を図１１に示し説明する。図１１は電気出力１３５
万ｋＷの沸騰水型原子炉（以下ＢＷＲという）の炉心の第４象限に相当する１／４断面を
図である。図中一つのマスが１体の燃料集合体を表しており、炉心１は８７２体の燃料集
合体で構成されている。燃料集合体は全ての方向において等間隔で配置されている。内部
が空白のマスは燃料集合体平均濃縮度が３．７％の高濃縮度燃料集合体２を、内部がＬの
マスは燃料集合体平均濃縮度が１．６％の低濃縮度燃料集合体３を示す。この炉心には、
高濃縮度燃料集合体が６４８体、低濃縮度燃料集合体が２２４体装荷されており、初装荷
燃料の平均濃縮度は３．２％である。
【０００５】
高濃縮度燃料集合体の濃縮度は、さらに高くすることによって取出燃焼度を増大できるが
、ここではサイクル終了時に装荷される取替燃料と同じ濃縮度に設定している。一方低濃
縮度燃料集合体の濃縮度は、初装荷燃料の平均濃縮度を維持できる範囲内で、取出燃焼度
増大のためにできるだけ低く設定している。
【０００６】
燃料集合体と燃料集合体の間には横断面が十字状の制御棒４が挿抜され、炉心１には全部
で２０５本の制御棒が具備されている。１本の制御棒とこれを囲む４体の燃料集合体を併
せてセルと呼び、このセルの横断面図の詳細を図１２に示す。制御棒４は、中性子吸収材
であるＢ４Ｃを充填した棒４０を、横断面が十字状になるように配列して構成されている
。この制御棒４の周りには燃料集合体２，３が配置されている。
【０００７】
これらの燃料集合体２，３は高燃焼度用燃料集合体の一例であり、図１３に詳細な構成を
示す。燃料集合体２，３は、長尺燃料棒６、短尺燃料棒７および太径ウォータロッド８を
スペーサ９で９行９列の正方格子状に束ねて上部タイプレート１０および下部タイプレー
ト１１に固定して燃料棒束とし、この燃料棒束をチャンネルボックス１２で包囲して構成
されている。短尺燃料棒は、燃料上部の冷却材流路を拡大して圧損を低減するとともに、
炉停止余裕を向上させている。
【０００８】
図１４は、図１１の炉心に装荷されている燃料集合体の濃縮度および可燃性毒物の軸方向
分布を示し、（ａ）が高濃縮度燃料集合体２、（ｂ）が低濃縮度燃料集合体３のものであ
る。いずれの燃料集合体にも上下端の斜線で示す領域には濃縮度が低く可燃性毒物を含ま
ないブランケット領域が設けられており、中性子の漏れを低減している。高濃縮度燃料集
合体２は上下端領域を除いた濃縮度が４．１％、可燃性毒物であるガドリニア入り燃料棒
が１０本、平均濃縮度が３．７％であり、低濃縮度燃料集合体３は、上下端領域を除いた
濃縮度が１．７％、ガドリニア入り燃料棒が２本、平均濃縮度が１．６％である。
【０００９】
またこの炉心では、制御棒の移動による制御棒隣接燃料集合体の出力分布歪が緩和される
ように、濃縮度が低いかまたは燃焼が進んだ反応度の低い燃料集合体を４体配したコント
ロールセルを炉内に離散的に配置することにより、原子炉の運転中に炉心の余剰反応度を
制御棒でコントロールしている。本炉心では中心部を丸印で示す３７個のコントロールセ
ル５があり、各々低濃縮度燃料集合体３が４体装荷されている。図１１の炉心では、低濃
縮度燃料はコントロールセルと、熱的余裕や炉停止余裕を満足するために必要な最小限の
位置のみに配置し、低濃縮度燃料集合体の装荷体数をできるだけ少なくしている。
【特許文献１】特開平４−２２８９４号公報
【発明の開示】
【発明が解決しようとする課題】
【００１０】
炉心内において最大出力を生ずる燃料集合体が低濃縮度燃料集合体と高濃縮度燃料集合体
に面している場合、一般に最大出力の燃料集合体を構成する各燃料棒の出力は、低濃縮度
燃料集合体に面する側において高濃縮度燃料集合体に面する側よりも大きくなる。これは
、各燃料棒の出力が、隣接する燃料集合体から流れ込んでくる熱中性子量に大きく依存す
るからであり、低濃縮度燃料集合体の方が高濃縮度燃料集合体よりも熱中性子量が多いか
らである。
【００１１】
従って、特開平４−２２８９４号公報に開示された発明に基づいて、高濃縮度燃料集合体
の濃縮度を高くし、低濃縮度燃料集合体の濃縮度を低くすると、燃料集合体内における上
述した燃料棒間の出力差が拡大することになる。通常、最大出力は高濃縮度燃料集合体に
生ずるが、この高濃縮度燃料集合体を構成する燃料棒の内、低濃縮度燃料集合体に面して
いる側の燃料棒の出力が特に増大する。ここで、隣接する燃料集合体が燃料集合体内の燃
料棒出力に及ぼす影響の例を以下に説明する。
【００１２】
図１１の炉心の大部分は、燃料集合体１６体から構成される領域１５を単位として、その
繰返しによって構成されている。すなわち４体の低濃縮度燃料集合体２からなるコントロ
ールセル５と４体の高濃縮度燃料集合体３からなるセルが２つ、１体の低濃縮度燃料集合
体２および３体の高濃縮度燃料集合体からなるセルの４つのセルから構成されるものであ
る。
【００１３】
図１５は、コントロールセル５のみに制御棒４が挿入された状態での、領域１５内の燃料
集合体の下部横断面における（図１３（ｃ）の断面）の出力分布である。図１５によれば
、コントロールセル５以外に配置された低濃縮度燃料集合体のみに隣接する高濃縮度燃料
集合体１４ａ，１４ｂの出力が１．２０となり、最も高いことがわかる。
【００１４】
次に、出力の高い高濃縮度燃料集合体の内、上側に低濃縮度燃料集合体が面する高濃縮度
燃料集合体１４ａの燃料棒出力分布の一例を図１６に示す。図１６（ａ）は下部断面内の
濃縮度およびＧｄ分布であり、濃縮度は番号１の燃料棒で最も高く番号７の燃料棒で最も
低い。記号Ｇの燃料棒はＧｄを含むものである。図１６（ｂ）は、隣接する燃料集合体の
影響を最も受けやすい最外周燃料棒の相対出力である。
【００１５】
図１６に示すように、濃縮度およびＧｄ分布は対称であるにもかかわらず、出力分布は対
称から大きくずれていることがわかる。特に図中で上方にある低濃縮度燃料集合体に面し
た最外周燃料棒の出力が大きく、面の中央にある燃料棒では他の面の対称位置の燃料棒よ
りも１０％以上大きい。これは、隣接する低濃縮度燃料集合体からは熱中性子が多く流れ
込み、一方隣接する高濃縮度燃料集合体とはほぼ同じ熱中性子量であるため、こちらから
の流れ込みはほとんどないからである。
【００１６】
このような隣接する燃料集合体から流れ込んでくる熱中性子の影響を、ウラン燃料よりも
プルトニウム燃料の方がより大きく受ける。これはプルトニウムの方がウランよりも熱中
性子吸収断面積が多いため、プルトニウム燃料の方が熱中性子が少ないからである。一例
として、燃料集合体平均核分裂性物質濃度が図１６（ａ）のウラン燃料と等しいプルトニ
ウム燃料では、炉心内で低濃縮度燃料集合体に隣接する側の最外周燃料棒の出力は図１６
（ｂ）よりもさらに０．０５程度増加する。
【００１７】
本発明は上記の事情に鑑みなされたもので、原子炉の炉心に装荷された状態で燃料集合体
内の燃料棒出力ピーキングを低くして十分な熱的余裕を有する燃料集合体を提供し、以っ
て取出燃焼度を増大させて燃料経済性を大幅に向上させた原子炉の炉心を提供することを
目的とする。
【課題を解決するための手段】
【００１８】
上記目的を達成するために、請求項１に対応する燃料集合体は、複数の燃料棒を格子状
に束ねて構成され横断面が正方形状をなす燃料集合体において、前記燃料集合体は４体で
１本の制御棒を囲むように原子炉の炉心に配置され、前記燃料集合体の上下端を除く少な
くとも一部の軸方向部位において、前記燃料棒に含有される核分裂性物質濃度または可燃
性毒物含有量の少なくとも一方の横断面内分布が、前記燃料集合体横断面内の二本の対角
線のうち少なくとも前記制御棒を通る対角線に関して非対称であることを特徴とする。
【００１９】
請求項２に対応する燃料集合体は、前記燃料集合体を構成する最外周燃料棒の核分裂性物
質濃度が非対称であることを特徴とする。
【００２０】
一般に燃料棒の出力を抑制するためには燃料棒の核分裂性物質濃度をあらかじめ低く設定
すればよいが、従来のように、横断面内での対称位置にある全ての燃料棒の核分裂性物質
濃度を下げると、使用できる濃縮度に上限がある場合には集合体平均濃縮度を低くするこ
とになり、取出燃焼度の増大に支障をもたらすことになる。従って、請求項２に記載の構
成によれば、燃料集合体の平均核分裂性物質濃度を過度に低くすることなく、隣接する燃
料集合体から流入する熱中性子の影響を最も大きく受ける最外周燃料棒の出力が過大にな
ることを抑止することができる。
【００２１】
請求項３に対応する燃料集合体は、前記燃料集合体を構成する最外周または最外周から２
層目の燃料棒の可燃性毒物含有量が非対称であることを特徴とする。
【００２２】
この構成により、燃料集合体の平均核分裂性物質濃度を変更することなく、隣接する燃料
集合体から流入する熱中性子の影響を最も大きく受ける最外周燃料棒の出力が過大になる
ことを抑止することができる。
【００２３】
請求項４に対応する原子炉の炉心は、燃料集合体平均核分裂性物質濃度が異なる複数種類
の燃料集合体が装荷された原子炉の炉心において、少なくとも一部の燃料集合体が請求項
１ないし請求項３に記載の燃料集合体であることを特徴とする。
【００２４】
熱中性子量は燃料集合体平均核分裂性物質濃度に大きく依存するので、この構成により、
燃料集合体平均核分裂性物質濃度が異なる燃料集合体が装荷された原子炉の炉心において
、隣接する燃料集合体から流れ込んでくる熱中性子の影響により燃料棒出力が過大になる
のを低減することができる。
【００２５】
請求項５に対応する原子炉の炉心は、コントロールセルに隣接する位置および炉心最外周
位置および炉心最外周から２層目位置のいずれをも除く位置に装荷された燃料集合体平均
核分裂性物質濃度が最も高い燃料集合体の少なくとも一部が請求項１ないし請求項３に記
載の燃料集合体であることを特徴とする。
【００２６】
この構成により、炉心内の燃料集合体出力が増大しやすい位置に装荷された燃料集合体平
均核分裂性物質濃度が最も高い燃料集合体において、隣接する燃料集合体から流れ込んで
くる熱中性子の影響により燃料棒出力が過大になるのを低減することができる。
【００２７】
請求項６に対応する原子炉の炉心では、コントロールセルに隣接する位置および炉心最外
周位置および炉心最外周から２層目位置のいずれをも除く位置に装荷された燃料集合体平
均核分裂性物質濃度が最も高い燃料集合体の全てが、その横断面内の高々１つの面で燃料
集合体平均核分裂性物質濃度が最も低い燃料集合体と隣接することを特徴とする。
【００２８】
この構成により、隣接する燃料集合体から流れ込んでくる熱中性子の影響を最も受けやす
い燃料集合体平均核分裂性物質濃度が最も高い燃料集合体において、熱中性子量が最も多
い燃料集合体平均核分裂性物質濃度が最も低い燃料集合体と隣接する面が限定されるので
、少ない種類の燃料集合体で炉心を構成することができ、燃料製造への影響が軽減される
。
【００２９】
請求項７に対応する原子炉の炉心は、前記原子炉の炉心に装荷されている請求項１ないし
請求項３に記載の燃料集合体において、燃料集合体平均核分裂性物質濃度がより低い燃料
集合体に面する側の最外周燃料棒の平均核分裂性物質濃度が、燃料集合体平均核分裂性物
質濃度がより高い燃料集合体に面する側の最外周燃料棒の平均核分裂性物質濃度よりも低
いことを特徴とする。
【００３０】
この構成により、熱中性子量が最も多い燃料集合体平均核分裂性物質濃度が最も低い燃料
集合体から流れ込んでくる熱中性子の影響により燃料棒出力が過大になるのを低減するこ
とができる。一方、熱中性子量が少ない燃料集合体平均核分裂性物質濃度が高い燃料集合
体燃料から流入してくる熱中性子量は少ないので、これに面した最外周燃料棒の出力が過
大になることはなく、これらの面の最外周燃料棒の核分裂性物質濃度を高くすることによ
って燃料集合体平均核分裂性物質濃度を過度に低下させずにすむ。
【００３１】
請求項８に対応する原子炉の炉心では、前記原子炉の炉心に装荷されている請求項１ない
し請求項３に記載の燃料集合体において、燃料集合体平均核分裂性物質濃度がより低い燃
料集合体に面する側の最外周または最外周から２層目の燃料棒の平均可燃性毒物含有量が
、燃料集合体平均核分裂性物質濃度がより高い燃料集合体に面する側の最外周または最外
周から２層目の燃料棒の平均可燃性毒物含有量よりも低いことを特徴とする。
【００３２】
この構成により、燃料集合体平均核分裂性物質濃度がより高い燃料集合体に面する側の最
外周または最外周から２層目の燃料棒の平均可燃性毒物含有量を多くすることができる。
可燃性毒物入り燃料棒は隣接する燃料棒の出力を抑制するので、燃料集合体平均核分裂性
物質濃度がより高い燃料集合体に面する側の最外周燃料棒において、出力を過大にするこ
となく核分裂性物質濃度を高くすることができる。その結果、燃料集合体平均核分裂性物
資濃度を高めることができる。
【００３３】
請求項９に対応する原子炉の炉心は、前記原子炉の炉心に装荷されている請求項１ないし
請求項３に記載の燃料集合体において、燃料集合体平均核分裂性物質濃度がより低い燃料
集合体に面する側の最外周または最外周から２層目の燃料棒の平均可燃性毒物含有量が、
燃料集合体平均核分裂性物質濃度がより高い燃料集合体に面する側の最外周または最外周
から２層目の燃料棒の平均可燃性毒物含有量よりも高いことを特徴とする。
【００３４】
可燃性毒物入り燃料棒は隣接する燃料棒の出力を抑制するので、この構成により、燃料集
合体平均核分裂性物質濃度がより低い燃料集合体に面する側の最外周燃料棒において、出
力が過大になるのを抑止することができる。この場合、各燃料棒の濃縮度は変更しなくて
もよく、その場合には複数種類の燃料集合体の製造が極めて容易になる。一方、燃料集合
体平均核分裂性物質濃度がより低い燃料集合体に面する側の最外周燃料棒の核分裂性物質
濃度を高くすることができ、その場合には燃料集合体平均核分裂性物質濃度を高めること
ができる。
【００３５】
請求項１０に対応する原子炉の炉心は、前記原子炉の炉心において、燃料集合体平均核分
裂性物質濃度が等しい複数種類の請求項１ないし請求項３に記載の燃料集合体が装荷され
、前記複数種類の燃料集合体平均核分裂性物質濃度が等しい燃料集合体の少なくとも一部
が、互いに燃料集合体横断面内における前記燃料棒の核分裂性物質濃度および可燃性毒物
含有量の横断面内分布が、前記二本の対角線の少なくとも一方に関して鏡面対称かまたは
前記二本の対角線の交点を中心として回転対称の関係にあることを特徴とする。
【００３６】
この構成により、少ない種類の燃料棒で複数種類の燃料集合体を構成することができるの
で、燃料製造への影響が軽減される。
【００３７】
請求項１１に対応する原子炉の炉心は、複数本の燃料棒を格子状に束ねて構成され燃料集
合体が装荷された原子炉の炉心において、核分裂性物質として濃縮ウランのみを使用した
燃料集合体と核分裂性物質としてプルトニウムとウランとを使用した燃料集合体とが装荷
され、前記核分裂性物質としてプルトニウムとウランとを使用した燃料集合体の少なくと
も一部が請求項１ないし請求項３に記載の燃料集合体であることを特徴とする。
【００３８】
プルトニウムはウランに比べて、中性子吸収断面積が大きいため熱中性子量が少ないので
、隣接する燃料集合体からの熱中性子の流れ込みの影響をより受けやすい。従って請求項
１１に記載の構成によれば、プルトニウムとウランとを使用した燃料集合体において、隣
接する燃料集合体からの熱中性子の流れ込みによる燃料棒出力が過大になるのを抑止する
ことができる。
【発明の効果】
【００３９】
本発明によれば、炉心に装荷された状態で燃料棒出力ピーキングを十分に低減することが
できる。従って、熱的余裕を損なうことなく、初装荷燃料の平均濃縮度を高めて取出燃焼
度を増大し燃料経済性を大幅に向上することができる。また取替炉心においても、十分な
熱的余裕を確保することができる。さらにまた燃料棒の種類を過度に増加させることがな
いので、製造上の影響も小さい。
【発明を実施するための最良の形態】
【００４０】
（第１の実施の形態）
本発明の第１の実施の形態に係る原子炉の炉心の１／４断面を図１に示す。図中、従来の
技術と同一部分には同一符号を付し説明は省略する。図１に示す原子炉の炉心には、燃料
集合体平均濃縮度が３．７％の高濃縮度燃料集合体６４８体と燃料集合体平均濃縮度が１
．６％の低濃縮度燃料集合体２２４体とが等間隔で装荷されており、初装荷燃料の平均濃
縮度は３．２％である。これらの平均濃縮度および各燃料集合体の濃縮度、ガドリニアの
軸方向分布（以下Ｇｄ分布という）は図１１ないし図１３に示す従来の技術と同じである
。
【００４１】
図１において、高濃縮度燃料集合体はＡないしＤまたは空白のマスで示す５種類があり、
各々の燃料集合体平均濃縮度は等しい。空白のマスで示された高濃縮度燃料集合体は図１
６（ａ）で示したものと同一であるが、高濃縮度燃料集合体ＡないしＤは上下端を除く軸
方向中央部での濃縮度およびＧｄ分布に各々特徴がある。
【００４２】
これらの燃料集合体の下部断面内の濃縮度およびＧｄ分布を図２ないし図３に示し、 説
明する。図中、燃料棒内に付された番号は燃料棒の種類を示し、１から７で示されたもの
は夫々７種類の濃縮度であるウラン燃料棒であり、Ｇで示されたものはガドリニウム入り
燃料棒（以下Ｇｄ棒という）である。なお、濃縮度は数字が小さいほど高くなっている。
【００４３】
高濃縮度燃料集合体Ａ１４は、図２（ａ）に示すように、図１６（ａ）に示す燃料集合体
と比べて、低濃縮度燃料集合体と隣接する側の最外周燃料棒の濃縮度を低く（平均３．２
％）、残り３面の最外周燃料棒の濃縮度を高くしており（平均３．６％）、相対値で１０
％以上の差がついている。
【００４４】
また、低濃縮度燃料集合体と隣接する側の最外周燃料棒ではコーナーに近い燃料棒よりも
遠い燃料棒において濃縮度をより低く、一方残り３面の最外周燃料棒ではコーナーに近い
燃料棒よりも遠い燃料棒において濃縮度をより高くしている。これは、図１６（ｂ）に示
す燃料棒出力分布にみられるように、コーナーに近い燃料棒よりも面の中央の燃料棒で変
化が大きいからである。その結果、燃料集合体横断面における濃縮度およびＧｄ分布が、
２本の対角線ＩおよびIIに関して非対称な分布となっている。
【００４５】
高濃縮度燃料集合体Ｂ１９は図２（ｂ）に示すように、高濃縮度燃料集合体Ａ１４と対角
線Ｉに関して、高濃縮度燃料集合体Ｃ２０は図３（ａ）に示すように高濃縮度燃料集合体
Ａ１４と対角線ＩＩに関して、高濃縮度燃料集合体Ｄ２１は図３（ｂ）に示すように高濃
縮度燃料集合体Ｂ１９またはＣ２０と対角線ＩＩまたはＩに関して、各々鏡面対称の関係
にある。すなわち高濃縮度燃料集合体ＡないしＤは同種の燃料棒を同数だけ使用しており
、実質的には１種類の燃料集合体を用意すればよいので、製造への影響を最小限にするこ
とができる。
【００４６】
図１において、高濃縮度燃料集合体ＡないしＤは、太線１８で区切られた炉心最外周と炉
心最外周から２層目とを除いた炉心内部領域内でコントロールセル５に隣接しない位置で
あって、しかも低濃縮度燃料集合体に隣接する位置に装荷されている。高濃縮度燃料集合
体ＡないしＤが装荷されているこれらの位置は、炉心内において出力が高く、しかも隣接
する低濃縮度燃料集合体からの熱中性子の流入が大きい位置である。
【００４７】
これらの位置において、高濃縮度燃料集合体ＡないしＤは低濃縮度燃料集合体が隣接する
方向によって使い分けられている。本実施の形態の効果として、従来の技術と比較するた
めに、図１５に示した従来の原子炉炉心内の位置１４ａと同じ位置にある高濃縮度燃料集
合体の下部断面の燃料棒出力分布を図４に示す。この位置には高濃縮度燃料集合体Ａが装
荷されており、図１６（ｂ）に示した従来の出力分布と比べると、出力分布が平坦化され
ピーキングを約４％低減できることがわかる。
【００４８】
また、図１に示す原子炉の炉心では、Ｌを丸で囲って示した（以下（Ｌ）という）３６体
の低濃縮度燃料集合体の装荷位置が、図１１に示す従来の炉心と異なっている。すなわち
（Ｌ）で示す低濃縮度燃料集合体は互いに桂馬跳びの位置またはこれより遠くに装荷され
、高濃縮度燃料集合体は高々１体の低濃縮度燃料集合体と隣接するようにしている。
【００４９】
この構成により、本実施の形態の４種類の高濃縮度燃料集合体ＡないしＤは、２つの面両
方の最外周燃料棒の出力を抑制することができる。すなわち、上述したように、炉心内に
おいて出力が高くしかも隣接する低濃縮度燃料集合体からの熱中性子の流入を受けやすい
高濃縮度燃料集合体は、斜線１８よりも内部の領域でコントロールセル５に隣接せずしか
も低濃縮度燃料集合体に隣接する位置に装荷されている燃料集合体である。
【００５０】
このような位置にある高濃縮度燃料集合体が、その横断面内で２つの面が低濃縮度燃料集
合体に隣接すると、本実施の形態の高濃縮度燃料集合体ＡないしＤでは、２つの面両方の
最外周燃料棒の出力を抑制することができなくなるため、本実施の形態では高濃縮度燃料
集合体は高々１体の低濃縮度燃料集合体と隣接するようにしているものである。
【００５１】
また、本実施の形態における各燃料棒の濃縮度は、上下端を除いて軸方向に一様であるが
、低濃縮度燃料集合体と隣接する側の最外周燃料棒を、上下端を除く中央部領域をさらに
２領域に分けて上下で濃縮度を異ならせてもよい。
【００５２】
すなわち、下部断面は図２（ａ），（ｂ）または図３（ａ），（ｂ）と同様とし、上部断
面では低濃縮度燃料集合体と隣接する側の最外周燃料棒の濃縮度を他の３面の最外周燃料
棒と同一に高める。
【００５３】
ＢＷＲの軸方向出力分布は下方に歪むので、この構成により、少なくとも下部断面におけ
る横断面内の燃料棒出力分布を平坦にしておくことができる。
【００５４】
さらに、下部の平均濃縮度が上部の平均濃縮度よりも低くなるので、軸方向出力分布が平
坦になる。なお上下の境界位置は、図１３における（ｂ）断面と（ｃ）断面との境界に一
致させる必要はなく、下端からその全長の１／３ないし２／３の範囲にあればよい。
【００５５】
（第２の実施の形態）
本発明の第２の実施の形態である原子炉の炉心の１／４断面は図１と同一である。本実施
の形態では、高濃縮度燃料集合体ＡないしＤの横断面内の濃縮度およびＧｄ分布が、第１
の実施の形態と異なる。
【００５６】
本実施の形態で用いられる高濃縮度燃料集合体Ａ１４の下部断面を図５（ａ）に示す。図
１６（ａ）に示す従来のものと比べて、低濃縮度燃料集合体と隣接する側の最外周から２
層目に４本のＧｄ棒が配置されており、残り３面の最外周から２層目には各々２本のＧｄ
棒が配置されている。最外周燃料棒の濃縮度分布は従来と同じく対称であり、燃料集合体
平均濃縮度も同じである。
【００５７】
なお、図示していないが、高濃縮度燃料集合体Ｂは高濃縮度燃料集合体Ａと対角線Ｉに関
して、高濃縮度燃料集合体Ｃは高濃縮度燃料集合体Ａと対角線ＩＩに関して、高濃縮度燃
料集合体Ｄは高濃縮度燃料ＢまたはＣと対角線ＩまたはＩＩに関して、各々鏡面対称の関
係にある。
【００５８】
本実施の形態の効果として、図１５内の位置１４ａに高濃縮度燃料集合体Ａを配置した際
の下部断面の燃料棒出力分布を図５（ｂ）に示す。図１６（ｂ）の従来のものと比べると
、出力分布が平坦化されピーキングを約４％低減できることがわかる。
【００５９】
本実施の形態は、図１６（ａ）に示す従来の燃料集合体の中心付近にある２本のＧｄ棒を
移動させただけのものである。従って、図１で空白のマスで示した従来の高濃縮度燃料集
合体も含めて、Ｇｄ棒配置の変更だけで全ての高濃縮度燃料集合体を製造できるので、製
造への影響が大幅に軽減される。なおＧｄ棒は、このように最外周から２層目にあっても
十分な効果を発揮することができるが、最外周に配置することによってさらに最外周燃料
棒の出力を抑制することができる。
【００６０】
（第３の実施の形態）
本発明の第３の実施の形態である原子炉の炉心の１／４断面は図１と同一である。本実施
の形態では、高濃縮度燃料集合体ＡないしＤの横断面内の濃縮度およびＧｄ分布が、第１
または第２の実施の形態と異なる。
【００６１】
第３の実施の形態で用いられる高濃縮度燃料集合体Ａの下部断面を図６（ａ）に示す。図
１６（ａ）に示す従来ものと比べて、低濃縮度燃料集合体と隣接する側の最外周燃料棒の
濃縮度を低くすると同時に（平均３．２％）、残りの３面の最外周燃料棒の濃縮度を高す
る（平均３．７％）。特に、低濃縮度燃料集合体と隣接する面と平行する反対側の面の最
外周燃料棒の濃縮度は残りの２面よりもさらに高い。その結果、燃料集合体平均濃縮度は
従来例よりも０．０６％高い。
【００６２】
なお、図示しないが、高濃縮度燃料集合体Ｂは高濃縮度燃料集合体Ａと対角線Ｉに関して
、高濃縮度燃料集合体Ｃは高濃縮度燃料集合体Ａと対角線ＩＩに関して、高濃縮度燃料集
合体Ｄは高濃縮度燃料集合体ＢまたはＣと対角線ＩまたはＩＩに関して、各々鏡面対称の
関係にある。
【００６３】
本実施の形態の効果として、図１５内の位置１４に高濃縮度燃料集合体Ａを配置した際の
下部断面の燃料棒出力分布を図６（ｂ）に示す。本実施の形態では、平均濃縮度を高くす
ることができた上に、図１６（ｂ）に示す従来のものと比べると、出力分布が平坦化され
ピーキングを約５％低減できることがわかる。
【００６４】
（第４の実施の形態）
本発明の第４の実施の形態である原子炉の炉心の１／４断面は図１と同一である。本第４
の実施の形態は、高濃縮度燃料集合体ＡないしＤの横断面内の濃縮度およびＧｄ分布が、
第１ないし第３の実施の形態と異なる。
【００６５】
本実施の形態で用いられる高濃縮度燃料集合体ＡないしＤの下部断面を図７に示す。図７
（ａ）には高濃縮度燃料集合体Ａ１４および高濃縮度燃料集合体Ｄ２１、（ｂ）には高濃
縮度燃料集合体Ｂ１９および高濃縮度燃料集合体Ｃ２０を示す。これらは対角線Ｉに関し
て互いに鏡面対称の関係にある。
【００６６】
本実施の形態は、平行する面のいずれが低濃縮度燃料集合体と隣接してもよいように構成
されており、１つの高濃縮度燃料集合体が、第１ないし第３の実施の形態における２つの
高濃縮度燃料集合体を兼ねている。なお、図７（ａ）に示す高濃縮度燃料集合体Ａ，Ｄは
軸IIIに関して、また図７（ｂ）に示す高濃縮度燃料集合体Ｂ，Ｃは軸IVに関して、各々
鏡面対称性を有している。
【００６７】
（第５の実施の形態）
上述した第１ないし第４の実施の形態では、図１に示された原子炉の炉心内において全て
の燃料集合体が等間隔で配置される例を示している。このような炉心は、一般にＮ，Ｄ，
Ｃ格子と呼ばれており、この他に燃料集合体同士が異なる間隔で配置されるＤ格子と呼ば
れる炉心がある。このようなＤ格子炉心は具体的には、図１１に示すセルにおいて制御棒
４側の燃料集合体間隙は広く、その反対側では燃料集合体間隙は狭い。例えば特開昭６１
−２４０１９３号公報の第６図には、Ｄ格子炉心に使用される従来の燃料集合体の濃縮度
およびＧｄ分布が開示されており、燃料集合体間隙が広い側の燃料棒において、チャンネ
ルボックス外の非沸騰水領域が大きいため出力が増加しやすいので濃縮度を低くしたもの
が開示されている。その結果、制御棒を通らない対角線Ｉに関して非対称な分布となって
いる。
【００６８】
このようなＤ格子炉心に使用される本発明の第５の実施の形態に係る高濃縮度燃料集合体
の下部断面の濃縮度およびＧｄ分布を図８に示す。本実施の形態の高濃縮度燃料集合体で
は、隣り合った２面のいずれが低濃縮度燃料集合体と隣接してもよく、図８（ａ）に示す
高濃縮度燃料集合体と（ｂ）に示す高濃縮度燃料集合体とは対角線ＩＩに関して互いに鏡
面対称の関係にある。
【００６９】
このように本実施の形態の燃料集合体では、従来例が対角線Ｉのみに関して非対称であっ
たのに対して、対角線ＩＩに関しても非対称である。
【００７０】
なお、従来の燃料集合体の濃縮度分布は、ある燃料集合体が四方でその燃料集合体と同じ
種類の燃料集合体と隣接する場合の燃料棒出力分布を平坦にするためのものである。これ
に対して本実施の形態では、濃縮度またはＧｄ分布を適宜設定した上で複数種類の燃料集
合体を使用することによって、炉心に装荷された状態での燃料棒出力分布を平坦にするも
のであり、四方で同じ種類の燃料集合体と隣接する場合の燃料棒出力分布は平坦ではなく
なる。
【００７１】
（第６の実施の形態）
次に本発明の第６の実施の形態を説明する。第６の実施の形態は、プルトニウム燃料とウ
ラン燃料とを同時に炉心に装荷する場合に、少なくともプルトニウム燃料として、第１な
いし第５の実施の形態で示した特徴を有する高濃縮度燃料集合体を使用するものである。
さらに、いずれの燃料集合体においても核分裂性物質濃度や可燃性毒物含有量が第１ない
し第６の実施の形態の燃料集合体のように非対称性を有するようにし、プルトニウム燃料
をウラン燃料よりもより一層非対称にしてもよい。
【００７２】
従来の技術で説明したように、プルトニウム燃料は、ウラン燃料に比べて、隣接する核分
裂性物質濃度が低い燃料からの熱中性子の流れ込みの影響を受けやすいため、このような
構成とすることにより、その影響を低減することができる。
【００７３】
（第７の実施の形態）
以上の実施の形態においては、初装荷炉心を対象として説明してきた。燃料集合体平均核
分裂性濃度が大きく異なる燃料集合体が装荷された初装荷炉心において、隣接する燃料集
合体からの熱中性子の流れ込みが顕著だからである。
【００７４】
一方、燃料交換を繰返して到達する取替炉心では、燃料集合体平均核分裂性物質濃度は等
しいが燃焼度が異なる多数の燃料集合体が装荷されている。このような取替炉心では、燃
焼が進んだ燃料集合体ほど熱中性子量が多く、核分裂性物質濃度が低い燃料集合体と同様
の作用をする。すなわち、新しく炉心に装荷された新燃料集合体において、燃焼が進んだ
燃料集合体と面する側の最外周燃料棒の出力が増大する。
【００７５】
従って、このような取替炉心においても、本発明を適用することができる。ただし燃焼が
進んだ燃料集合体であっても当初の核分裂性物質含有量が等しいので、初装荷炉心に比べ
ると取替炉心における隣接する燃料集合体からの熱中性子の流れ込みの影響は小さい。
【００７６】
また、初装荷炉心では燃料集合体装荷位置をあらかじめ特定できるのに対して、取替炉心
では新燃料集合体のどの面がどの燃料集合体と隣接するか一概には決まらない。従って、
このような取替炉心において隣接する燃焼度が進んだ燃料集合体からの熱中性子の流れを
常に十分に低減するには、燃料集合体横断面内で、全ての最外周燃料棒の核分裂性物質含
有量を十分に低くしておくか、あるいは全ての面の最外周または最外周から２層目に多く
の可燃性毒物を配置しておく必要がある。
【００７７】
このような観点からなされた本発明の第７の実施の形態について説明する。本実施の形態
である原子炉の炉心の１／４断面を図９に示す。同図は、図１と同じＢＷＲにおいて、プ
ルトニウム燃料とウラン燃料とを同時に装荷した取替炉心である。図中、マス内に示され
たＵはウランのみを使用した新燃料集合体、Ｍはプルトニウムとウランとを使用した新燃
料集合体、２は２サイクル目燃料集合体、３は３サイクル目燃料集合体、４は４サイクル
目燃料集合体である。なお、２，３，４サイクル目燃料集合体では、ウラン燃料とプルト
ニウム燃料とを区別していない。
【００７８】
本実施の形態で使用される燃料集合体の下部断面の濃縮度およびＧｄ分布を図１０に示す
。図１０（ａ）はプルトニウム燃料、（ｂ）はウラン燃料を示す。また、プルトニウム燃
料で使用されている各燃料棒のプルトニウム富化度は、番号の燃料棒で最も高く、番号  
の燃料棒で最も低い。記号ＧはＧｄ棒であることを示す。これらの最外周燃料棒の平均核
分裂性物質濃度はプルトニウム燃料では２．４％、ウラン燃料では３．５％であり、燃料
集合体平均核分裂性物質濃度はいずれの燃料集合体も４．１％である。
【００７９】
従って最外周燃料棒の平均核分裂性物質濃度の燃料集合体平均に対する比は、プルトニウ
ム燃料では０．５９、ウラン燃料では０．８５である。さらに、プルトニウム燃料ではＧ
ｄ棒を最外周から２層目に１６本配置しており、一方ウラン燃料ではＧｄ棒を最外周から
２層目に８本配置している。
【００８０】
これらの結果、各々が新燃料集合体として炉心に装荷された状態で、ほぼ等しい燃料棒出
力ピーキングを達成することができる。本実施の形態では、最外周燃料棒の平均核分裂性
物質濃度の燃料集合体平均に対する比は、プルトニウム燃料でウラン燃料の０．７倍であ
る。プルトニウム燃料のウラン燃料に対するこの比率は、使用する燃料の燃料集合体平均
核分裂性物質濃度などの諸条件に依存するが、少なくとも０．９倍以下とすることが望ま
しい。なお図９では、プルトニウム燃料はコントロールセルの隣接位置と炉心周辺に選択
的に配置してあり、燃料集合体出力が過大になることを抑止している。
【００８１】
（その他の実施の形態）
上記した第１ないし第４の実施の形態では、平均濃縮度が異なる２種類の燃料集合体が装
荷された初装荷炉心について説明したが、これらの中間濃縮度の燃料集合体を加えた３種
類あるいはそれ以上の種類の燃料集合体を使用してもよい。
【００８２】
このような場合、熱中性子量が最も多いのは最低濃縮度燃料集合体であり、隣接する燃料
集合体からの熱中性子の流入の影響を最も受けやすい燃料集合体は最高濃縮度燃料集合体
である。従って、本発明をこれら最高濃縮度燃料集合体と最低濃縮度燃料集合体に適用す
れば十分な効果が得られる。
【００８３】
また第１図に示した初装荷炉心では最外周に高濃縮度燃料集合体を装荷したが、低濃縮度
燃料集合体あるいは中間濃縮度の燃料集合体を装荷してもよい。
【００８４】
上記実施の形態でも述べたように、最外周から２層目に装荷された高濃縮度燃料集合体は
過大な出力を出すことはないので、最外周に装荷された燃料集合体は本発明の適用性に影
響しない。さらに以上の実施の形態ではＢＷＲについて説明してきたが、本発明が加圧水
型原子炉（ＰＷＲ）にも適用できることは明白である。
【図面の簡単な説明】
【００８５】
【図１】本発明の第１の実施の形態である沸騰水型原子炉の初装荷炉心の燃料配置を示す１／４平面図。
【図２】本発明の第１の実施の形態で使用される高濃縮度燃料集合体の下部断面の濃縮度およびＧｄ分布を示す断面図であり、（ａ）は高濃縮度燃料集合体Ａ、（ｂ）は高濃縮度燃料集合体Ｂを示す断面図。
【図３】本発明の第１の実施の形態で使用される高濃縮度燃料集合体の下部断面の濃縮度およびＧｄ分布を示す断面図であり、（ａ）は高濃縮度燃料集合体Ｃ、（ｂ）は高濃縮度燃料集合体Ｄを示す断面図。
【図４】本発明の第１の実施の形態で使用される高濃縮度燃料集合体Ａの炉心内での燃料棒出力分布を示す図。
【図５】（ａ）は本発明の第２の実施の形態で使用される高濃縮度集合体Ａの下部断面の濃縮度およびＧｄ分布を示す断面図、（ｂ）は高濃縮度燃料集合体Ａの炉心内での燃料棒出力分布を示す図。
【図６】（ａ）は本発明の第３の実施の形態で使用される高濃縮度燃料集合体Ａの下部断面の濃縮度およびＧｄ分布を示す断面図、（ｂ）は高濃縮度燃料集合体Ａの炉心内での燃料棒出力分布を示す図。
【図７】本発明の第４の実施の形態で使用される高濃縮度燃料集合体の下部断面の濃縮度およびＧｄ分布を示す断面図であり、（ａ）は高濃縮度燃料集合体ＡおよびＤ、（ｂ）は高濃縮度燃料集合体ＢおよびＣを示す断面図。
【図８】本発明の第５の実施の形態で使用される高濃縮度燃料集合体の下部断面の濃縮度およびＧｄ分布を示す断面図。
【図９】本発明の第７の実施の形態である沸騰水型原子炉の取替炉心の燃料配置を示す１／４平面図。
【図１０】本発明の第７の実施の形態で使用される燃料集合体の下部断面の濃縮度およびＧｄ分布を示す断面図であり、（ａ）はプルトニウム燃料、（ｂ）はウラン燃料を示す断面図。
【図１１】従来の沸騰水型原子炉の初装荷炉心の燃料配置を示す１／４平面図。
【図１２】制御棒と４体の燃料集合体とで構成されるセルの断面図。
【図１３】部分長燃料棒を有する高燃焼度用燃料集合体の一例の断面図。
【図１４】従来および本発明の第１および第２の実施の形態で使用される燃料集合体の軸方向濃縮度およびＧｄ分布を示す図。（ａ）は高濃縮度燃料、（ｂ）は低濃縮度燃料。
【図１５】従来の炉心の一部分における燃料集合体出力分布を示す図。
【図１６】（ａ）は従来の高濃縮度燃料集合体の下部断面の濃縮度およびＧｄ分布を示す断面図、（ｂ）は高濃縮度燃料集合体の炉心内での燃料棒出力分布を示す図。
【符号の説明】
【００８６】
１…原子炉の炉心、２，３，１４，１９，２０，２１…燃料集合体、４…制御棒、５…コ
ントロールセル、６…長尺燃料棒、７…短尺燃料棒、８…ウォータロッド、９…スペーサ
、１０…上部タイプレート、１１…下部タイプレート、１２…チャンネルボックス
【図１】
2006208391.tif 000003
【図２】
2006208391.tif 000004
【図３】
2006208391.tif 000005
【図４】
2006208391.tif 000006
【図５】
2006208391.tif 000007
【図６】
2006208391.tif 000008
【図７】
2006208391.tif 000009
【図８】
2006208391.tif 000010
【図９】
2006208391.tif 000011
【図１０】
2006208391.tif 000012
【図１１】
2006208391.tif 000013
【図１２】
2006208391.tif 000014
【図１３】
2006208391.tif 000015
【図１４】
2006208391.tif 000016
【図１５】
2006208391.tif 000017
【図１６】
2006208391.tif 000018